(57)【特許請求の範囲】
【請求項１】
室内と室外を連通するように、壁部に設けられる風洞パイプに装着させる形状で内部にファンとモータが設けられる筒状部と、
前記筒状部の室内側開口の外周に半径方向に張り出した略方形状に形成されたフランジ部と、
前記フランジ部の周辺の裏面側に立ち上がり部を形成し電装ボックスを収納するフレームと前記筒状部に設けたモータケースに嵌合するモータカバーとで構成し、
前記電装ボックスを電源接続端子と電源コード固定部を有する電装ボックスケースと電装ボックスカバーで構成し、両部品が嵌合する外壁部を階段状にオーバーラップさせた形状とし、前記電装ボックスカバーの端部を前記電装ボックスケースの底面まで設けたものであって、
前記電装ボックスカバーのフランジ部を前記電装ボックスケース底面まで伸ばし前記電装ボックスケースを覆うように内側に曲げた構造としたことを特徴とする換気装置。
【請求項２】
電装ボックスの電源コード出口近傍に電源コード出口よりも下側に形成したガイドリブをフレームに設けた構造とした請求項１記載の換気装置。
【請求項３】
ガイドリブをフレーム立ち上がり部と同じ高さまで設けた構造とした請求項２記載の換気装置。
【請求項４】
電装ボックスの電源コード出口を斜め下向きに設けた請求項２または３記載の換気装置。
【請求項５】
フレームの下側立ち上がり部、電源コード出口近傍、モータリード線引き込み口近傍、に水抜き穴を設けた請求項１〜３いずれか一つに記載の換気装置。
【請求項６】
電装ボックスケース底面にリブａを設け前記リブａの上に電源接続端子を設置し、前記電源接続端子の異極端子間を仕切るリブｂを設けた請求項１〜５いずれか一つに記載の換気装置。
【請求項７】
電源接続端子を固定し、前記電源接続端子の電源コード接続側を上向きに傾けられる端子設置台を電装ボックスケースに設けた請求項１〜６いずれか一つに記載の換気装置。
【請求項８】
端子設置台に電源接続端子の異極端子間を仕切るリブｃを設けた請求項７記載の換気装置。
【請求項９】
室内と室外を連通するように、壁部に設けられる風洞パイプに装着させる形状で内部にファンとモータが設けられる筒状部と、
前記筒状部の室内側開口の外周に半径方向に張り出した略方形状に形成されたフランジ部と、
前記フランジ部の周辺の裏面側に立ち上がり部を形成し電装ボックスを収納するフレームと前記筒状部に設けたモータケースに嵌合するモータカバーとで構成し、
前記電装ボックスを電源接続端子と電源コード固定部を有する電装ボックスケースと電装ボックスカバーで構成し、両部品が嵌合する外壁部を階段状にオーバーラップさせた形状とし、前記電装ボックスカバーの端部を前記電装ボックスケースの底面まで設け、
前記電装ボックスカバーの前記電源接続端子を覆う部分に薄肉部を設け、前記電装ボックスカバーを前記電源接続端子の電源コード接続部分が露出するように開閉可能な形状としたものであって、
前記電装ボックスカバーの開閉部分の表または裏面に結線図を刻印成形表示したことを特徴とする換気装置。
【請求項１０】
前記電装ボックスは、難燃性の樹脂材料で形成したとした請求項１〜９いずれか一つに記載の換気装置。
【請求項１１】
前記端子設置台は、難燃性の樹脂材料で形成した請求項８記載の換気装置。
【請求項１２】
モータカバーとフレームの嵌合部を階段状に構成した請求項１〜１１いずれか一つに記載の換気装置。
【請求項１３】
フレームのモータシャフト出口に筒状の保護フランジを設け、ファンのボス部を前記保護フランジにオーバーラップさせて挿入する構造とした請求項１〜１２いずれか一つに記載の換気装置。
【発明の詳細な説明】
【技術分野】
【０００１】
本発明は、モータと電気的に接続された電源接続端子を備えた換気装置に関するものである。
【背景技術】
【０００２】
モータと電気的に接続された電源接続端子を備えた換気装置においては、電源線を電源接続端子に被覆を除去して結線できるものである。従来この種の換気装置の例として本体枠内に電源接続子を設置したものが知られている（例えば特許文献１参照）。
【先行技術文献】
【特許文献】
【０００３】
【特許文献１】特開２００８−２３２４８８号公報
【発明の概要】
【発明が解決しようとする課題】
【０００４】
前記従来例における課題は、電装部は各々別部品として形成された極性の異なる少なくとも２つの電源接続端子で構成され、電源接続端子は電源電線の挿入方向に対して互いにずらして構成しているので、電装部を小型にすることが困難であるという課題があった。またモータへの水滴やほこりの浸入防止対策がされていないという課題があった。
【０００５】
そこで、本発明は、このような従来の課題を解決するものであり、水滴やほこりの浸入を小型の電装ボックスで防止でき、モータへの水滴の浸入やほこりの侵入も防止できる換気装置を提供することを目的とする。
【課題を解決するための手段】
【０００６】
そして、この目的を達成するために本発明の換気装置は、室内と室外を連通するように、壁部に設けられる風洞パイプに装着させる形状で内部にファンとモータが設けられる筒状部と、前記筒状部の室内側開口の外周に半径方向に張り出した略方形状に形成されたフランジ部と、前記フランジ部の周辺の裏面側に立ち上がり部を形成し電装ボックスを収納するフレームと前記筒状部に設けたモータケースに嵌合するモータカバーとで構成した換気装置において、前記電装ボックスを電源接続端子と電源コード固定部を有する電装ボックスケースと電装ボックスカバーで構成し、両部品が嵌合する外壁部を階段状にオーバーラップさせた形状とし、前記電装ボックスカバーの端部を前記電装ボックスケースの底面まで設けたことにより、電装ボックスの外壁部で水の浸入を防止し、所期の目的を達成するものである。
【発明の効果】
【０００７】
以上のように本発明の換気装置は、室内と室外を連通するように、壁部に設けられる風洞パイプに装着させる形状で内部にファンとモータが設けられる筒状部と、前記筒状部の室内側開口の外周に半径方向に張り出した略方形状に形成されたフランジ部と、前記フランジ部の周辺の裏面側に立ち上がり部を形成し電装ボックスを収納するフレームと前記筒状部に設けたモータケースに嵌合するモータカバーとで構成した換気装置において、前記電装ボックスを電源接続端子と電源コード固定部を有する電装ボックスケースと電装ボックスカバーで構成し、両部品が嵌合する外壁部を階段状にオーバーラップさせた形状とし、前記電装ボックスカバーの端部を前記電装ボックスケースの底面まで設けたことにより、電装ボックスの外壁部で水の浸入を防止できるので、電源接続部分を各々別部品とし、互いにずらして構成する必要がなく、小型の電装ボックスで絶縁性能がすぐれた換気装置を実現できることとなる。
【図面の簡単な説明】
【０００８】
【図１】本発明の実施の形態１の換気装置の取付状態を示す断面図
【図２】同換気装置の電装ボックス部構成を示す分解斜視図
【図３】同換気装置の電装ボックス部を示す断面図
【図４】同換気装置の電装ボックス部を示す断面図
【図５】同換気装置の電装ボックス部を示す断面図
【図６】同換気装置の背面図
【図７】同換気装置の水抜き穴を示す背面図
【図８】同換気装置の水抜き穴を示す斜視図
【図９】本発明の実施の形態２の換気装置の電装ボックスを示す断面図
【図１０】同換気装置の電装ボックスを示す分解斜視図
【図１１】同換気装置の電装ボックスを示す断面図
【図１２】同換気装置の電装ボックスを示す斜視図
【図１３】本発明の実施の形態３の換気装置の部分断面図
【図１４】従来の換気装置の天井への取付状態を示す断面図
【図１５】同換気装置の背面図
【発明を実施するための形態】
【０００９】
本発明の換気装置は、室内と室外を連通するように、壁部に設けられる風洞パイプに装着させる形状で内部にファンとモータが設けられる筒状部と、前記筒状部の室内側開口の外周に半径方向に張り出した略方形状に形成されたフランジ部と、前記フランジ部の周辺の裏面側に立ち上がり部を形成し電装ボックスを収納するフレームと前記筒状部に設けたモータケースに嵌合するモータカバーとで構成した換気装置において、前記電装ボックスは、電源接続端子と電源コード固定部を有する電装ボックスケースと、この電装ボックスケースの蓋となる電装ボックスカバーで構成し、両部品が嵌合する外壁部を階段状にオーバーラップさせた形状とし、前記電装ボックスカバーの端部を前記電装ボックスケースの底面まで設けたことにより、電装ボックスに付着した水は、電装ボックスカバーの外壁部から電装ボックス表面を伝って流れ落ちる。電装ボックスケースと電装ボックスカバーの嵌合部に付着しても階段状に嵌合部をオーバーラップさせていることにより浸入しないので、電装ボックス内部の充電部に水が付着しなくなり絶縁性能が向上するという効果を奏する。よって電源接続端子部にて絶縁性能を確保する必要がなく、電装ボックスの小型化がはかれる。
【００１０】
また、電装ボックスカバーのフランジ部を電装ボックスケース底面よりも伸ばした構造としてもよい。これにより、電装ボックスに付着した水は電装ボックスケースと電装ボックスカバーの嵌合部に接触することなく滴下するので、電装ボックス内部の充電部により水が付着しない構造となり絶縁性能がさらに向上するという効果を奏する。
【００１１】
また、電装ボックスカバーのフランジ部を電装ボックスケース底面まで伸ばし電装ボックスケースを覆うように内側に曲げた構造としてもよい。これにより、電装ボックスカバーが電装ボックスケースを覆う形状で嵌合することとなり、電装ボックス嵌合部は鉛直方向になるので水がより浸入しない。また、部品成形時の変形により嵌合部に隙間が発生した場合でも水が浸入しないので、部品加工工程にて電装ボックスケース、電装ボックスカバーに変形が発生した場合でも電装ボックス内部の充電部に水が付着しない構造となり絶縁性能がさらに向上するという効果を奏する。
【００１２】
また、電装ボックスの電源コード出口近傍に電源コード出口よりも下側に形成したガイドリブをフレームに設けた構造とする。これにより、電源コードは出口から斜め下方向に引き回され、ガイドリブを経由した後にフレーム上方の電源コード引出口より引き出されるので、電源コードを伝ってフレーム内部に浸入した水はガイドリブ下方部で下に凸に湾曲した電源コード部分で滴下するので電装ボックスに浸入しないという効果を奏する。
【００１３】
また、ガイドリブをフレーム立ち上がり部と同じ高さまで設けた構造とする。これにより、電源コードがガイドリブに乗り上げた状態で壁部に設置されるとフレームと壁部との間に隙間が生じるので、電源コードの配線が正しく行われていない場合は施工者が容易に気づくことができるという効果を奏する。
【００１４】
また、電装ボックスの電源コード出口を斜め下向きに設けた構造とする。これにより、電装ボックス内の電源コード出口近傍に付着した水滴は電装ボックスの外に流れ落ちるので、高湿度の空気が電装ボックスの電源コード出口に付着し水滴となった場合でも電装ボックス内部の充電部に付着することなく電装ボックス外に排出できるという効果を奏する。
【００１５】
また、フレームの下側立ち上がり部、電源コード出口近傍、モータリード線引き込み口近傍、に水抜き穴を設けた構造とする。これにより、壁部とフレームとの間から浸入した水はフレーム下側立ち上がり部に設けた水抜き穴よりフレーム外に流れ落ちる。天井に誤設置された場合でも電源コード出口近傍、モータリード線引き込み口近傍に設けた水抜き穴より水が流れ落ちるので、フレーム内に水が浸入した場合でも電装ボックスに水は浸入しないという効果を奏する。
【００１６】
また、電装ボックスケース底面にリブａを設け前記リブａの上に電源接続端子を設置し、前記電源接続端子の異極端子間を仕切るリブｂを設けた構造とする。これにより、電装ボックスケースの底面に付着した水は電源接続端子に接触することなく下方へ流れ落ちる。また異極端子間を導通するように水が付着することがなくなるので、水が電装ボックス内に浸入した場合でも充電部である電源接続端子に水が付着することは無い。また異極端子間が水により短絡されることは無いという効果を奏する。
【００１７】
また、電源接続端子を固定し、前記電源接続端子の電源コード接続側を上向きに傾けられる端子設置台を電装ボックスケースに設けた構造とする。これにより、端子設置台を上向きに持ち上げることにより電源接続端子の電源コード接続端子を確認することができるので、電源工事者は電源コード接続端子を確認しながら電源コードを電源接続端子に挿入、接続することができ作業性が良くなるという効果を奏する。
【００１８】
また、端子設置台に電源接続端子の異極端子間を仕切るリブｃを設けた構造とする。これにより、異極端子間を導通するように水が付着することがないので、電源コード接続の施工性が良く、安全性が高くなるという効果を奏する。
【００１９】
また、電装ボックスカバーの電源接続端子を覆う部分に薄肉部を設け、前記電装ボックスカバーを前記電源接続端子の電源コード接続部が露出するように開閉可能な形状とする。これにより、電源コード接続工事の際は電装ボックスカバーの電源コード接続部分側のみを開いて接続するので、電源接続に必要な部分以外は触れない構造になっており、電源工事の際に誤って他の電装部品を傷つけることがない。電装ボックスカバー前面はヒンジ形状で繋がっているので水が浸入することはない。また一体部品なので部品を無くすこともないという効果を奏する。
【００２０】
また、電装ボックスカバーの開閉部分の表または裏面に結線図を刻印成形表示した構成とする。これにより、電源コード接続部分の近傍に結線図が表示されるので、電源コード接続工事をしながら結線を確認できる。シールではなく刻印するので浴室の高湿度空間で使用しても表示が剥がれたり、消えたりすることがない。刻印なので安価に表示することができるという効果を奏する。
【００２１】
また、電装ボックスと端子設置台の樹脂材料を難燃性材料で構成する。これにより、充電部を保持または覆う部品が難燃性材料で構成されるので、充電部にて発煙、発火が発生した場合でも電装ボックスの外に延焼しないという効果を奏する。
【００２２】
また、モータカバーとフレームの嵌合部を階段状に構成する。これにより、モータカバーとフレームの嵌合部が階段状になっているため水、埃が浸入しにくくなるので、モータ充電部に水が付着しない、また排気中に含まれる埃等も浸入しにくいという効果を奏する。
【００２３】
また、フレームのモータシャフト出口に筒状の保護フランジを設け、ファンのボス部を前記保護フランジにオーバーラップさせて挿入する構造とする。これにより、湿気を含んだ空気を排気する際、その空気がモータシャフトに接触しにくくなるので、モータシャフトが錆びにくくなる。また埃等も付着しにくくなるという効果を奏する。
【００２４】
以下、本発明の実施の形態について、図面を参照しながら説明する。
【００２５】
（実施の形態１）
図１に示すように、本実施の形態の換気装置５０は、壁部１を貫通する風洞パイプ２と内部にファン３とモータ４が設けられた筒状部５と、ファン３を覆い隠すように設けられたルーバー５１とで構成されている。通常、このような換気装置５０は、室内側にルーバー５１を設け、室内の空気を外部へ排出するようにして設けられる。
【００２６】
図１から図３に示すように、風洞パイプ２は、室内と室外を連通するように、壁部１に設けられる。この風洞パイプ２には、内部にファン３とモータ４が設けられる筒状部５が装着される。この筒状部５の室内側開口６の外周には、ファン３の回転軸と直交する方向に略方形状に張り出したフランジ部７ａが形成されている。このフランジ部７ａの周辺部の裏面側には、立ち上がり部７ｂが形成されている。フランジ部７ａと立ち上がり部７ｂとで、電装ボックス８を収納するフレーム９を構成している。そして、筒状部５に設けたモータケース１０には、モータカバー１１を嵌合している。このような換気装置５０において、電装ボックス８は、電源接続端子１２と電源コード固定部１３を有する電装ボックスケース８ａと、その蓋となる電装ボックスカバー８ｂで構成されている。電装ボックスケース８ａと電装ボックスカバー８ｂは、外壁部を階段状にオーバーラップさせて嵌合するようになっている。さらには、電装ボックスカバー８ｂの端部を電装ボックスケース８ａの底面（ルーバー５１側の面）まで設けている。
【００２７】
上記構成により、電装ボックス８に付着した水は、電装ボックスカバー８ｂの外壁部から電装ボックスケース８ａの底面部を伝って流れ落ちる。そのうち一部の少量の水が、電装ボックスケース８ａの底面部の電装ボックスカバー８ｂとの嵌合部に付着する。しかし、電装ボックスケース８ａと電装ボックスカバー８ｂの重ね合わせ部を２０ｍｍ程度確保して、さらに、階段状に嵌合部をオーバーラップさせているので、水の浸入が困難なのである。従って、電装ボックス８内部の充電部に水が付着しなくなり絶縁性能を向上させることができる。この様に、水の浸入を電装ボックス８の外郭部で阻止できるので電源接続端子１２を各々別部品とし、互いにずらして構成する必要がなく、大きなスペースを要しないため小型の電装ボックス８で絶縁性能がすぐれた換気装置５０を実現できる。
【００２８】
また、図４に示すように、電装ボックスカバー８ｂのフランジ部を電装ボックスケース８ａの底面よりも伸ばした構造としてもよい。このような構成によれば、電装ボックス８に付着した水は電装ボックスケース８ａと電装ボックスカバー８ｂの嵌合部に接触することなく滴下するので、電装ボックス８内部の充電部により水が付着しない構造にできる。
【００２９】
また、図５に示すように、電装ボックスカバー８ｂのフランジ部を電装ボックスケース８ａの底面まで伸ばし前記電装ボックスケース８ａを覆うように内側に曲げた構造としてもよい。このような構成によれば、重ね合わせ部の距離が長くなり、電装ボックス８の嵌合部は鉛直方向になるので水がより浸入しない構造となる。また、部品成形時の変形により嵌合部に隙間が発生した場合でも電装ボックスカバー８ｂが電装ボックスケース８ａを覆う構造となるのでその影響が少なくなり製造条件に左右されない水浸入防止構造となる。
【００３０】
また、図６に示すように、電装ボックス８の電源コード出口１５近傍に、この電源コード出口１５よりも下側に形成したガイドリブ１４をフレーム９に設けている。このガイドリブ１４はフレーム９の立ち上がり部７ｂと同じ高さまで設けた構造とし、電源コード出口１５は斜め下向きに設けた構造となっている。電源コード１７に水が付着し、その水が電源コード１７を伝って電装ボックス８に浸入することが考えられる。しかし、このような構成によれば、電源コード１７は、電源コード出口１５から斜め下方向に引き回され、ガイドリブ１４の下端を経由した後にフレーム９上方の電源コード引出口１６より引き出される。従って、電源コード１７を伝ってフレーム９内部に浸入した水は、ガイドリブ１４下方部で下に凸に湾曲した電源コード１７部分で滴下するので電装ボックス８に浸入しない。
【００３１】
また、ガイドリブ１４をフレーム９の立ち上がり部と同じ高さまで設けたことにより、電源コード１７がガイドリブ１４に乗り上げた状態で壁部１に設置されると、フレーム９と壁部１との間に隙間が生じる。すなわち、電源コード１７の配線が正しく行われていない場合は施工者が容易に気づくことができるので、確実に電源コード１７の水切りができる。
【００３２】
また、電源コード出口１５近傍に付着した水滴は、斜め下向きに設けた電源コード出口１５より外に流れ落ちるので、高湿度の空気が電源コード出口１５近傍に付着し水滴となった場合でも電装ボックス８内部の充電部に付着することなく外に排出できる。
【００３３】
また、図７、８に示すように、フレーム９の下側の立ち上がり部７ｂ、電源コード出口１５近傍、モータリード線引き込み口１９近傍に水抜き穴１８を設けた構造となっている。このような構成によれば、壁部１とフレーム９との間から浸入した水はフレーム９下側立ち上がり部に設けた水抜き穴１８よりフレーム９の外に流れ落ちることになる。
【００３４】
また、図７に示すように、天井に誤設置された場合でも電源コード出口１５近傍、モータリード線引き込み口１９近傍に設けた水抜き穴１８より水が流れ落ちるので、フレーム９内に水が浸入した場合でもフレーム９に水が溜まり、電装ボックス８に水が浸入することを防止できる。
【００３５】
また、水抜き穴１８を４ｍｍ以上の角穴または直径４ｍｍ以上の丸穴で構成している。このような構成によれば、水の表面張力の影響を受けずに水が抜けるので、確実にフレーム９から水を排出できる。水抜き穴１８のエッジにＲまたはＣ面カットしてもより効果的に水を排出できる。
【００３６】
このように本発明の実施の形態１の換気装置によれば、小型の電装ボックス８で、水の浸入を防止し、絶縁性能を確保できる。また、部品成形時に変形等の製造問題が発生しても確実に水の浸入を防止することができる。また、電源コード１７を伝って水が浸入するのを防止することができる。施工者が電源コード１７の配線を間違えた場合には容易に施工間違いに気づく構造になっているので施工ミスにより水が浸入する危険性が無い。また、高湿度の空気が電源コード出口１５近傍に付着した場合でも電装ボックス８内部の充電部に付着することなく外に排出できる。また、壁部１とフレーム９との間から浸入した水は水抜き穴１８よりフレーム９の外に流れ落ちる。天井に誤設置された場合でも電源コード出口１５近傍、モータリード線引き込み口１９近傍に設けた水抜き穴１８より水が流れ落ち電装ボックス８に水が浸入することを防止できる。また、水抜き穴１８の大きさを４ｍｍ以上の角穴または直径４ｍｍ以上の丸穴で構成すれば水の表面張力の影響を受けずに水が抜けるので、確実にフレーム９から水を排出できることとなる。
【００３７】
（実施の形態２）
図９は、電装ボックス８の電源接続端子１２の部分の断面図である。この図９に示すように、電装ボックスケース８ａ底面にリブａ２０を設け、このリブａ２０の上に電源接続端子１２を設置している。さらに、電源接続端子１２の異極端子間を仕切るリブｂ２１を設けた構造となっている。
【００３８】
また、この電源接続端子１２は、図１０に示すように、電源コード接続側を上向きに傾けられた、すなわち、電源コード接続側を電装ボックスカバー８ｂ側に近づけた端子設置台２２に接続されている。この端子設置台２２には、電源接続端子１２の異極端子間を仕切るリブｃ２３が設けられている。
【００３９】
また、図１１、１２に示すように、電装ボックスカバー８ｂの電源接続端子１２を覆う部分には、薄肉部２４が設けられている。この薄肉部２４は、電源接続端子１２の電源コード接続部２５が露出するように、電装ボックスカバー８ｂの開閉ができるように設けられている。
【００４０】
また、電装ボックスカバー８ｂの開閉部分の表または裏面には、結線図を刻印成形表示した構成としている。
【００４１】
また、電装ボックス８と端子設置台２２の樹脂材料は、難燃性材料で構成している。
【００４２】
上記構成により、電装ボックスケース８ａの底面に付着した水は、電源接続端子１２に接触することなく下方へ流れ落ちる。また、異極端子間を導通するように水が付着することがなくなるので、水が電装ボックス８内に浸入した場合でも充電部である電源接続端子１２に水が付着することは無い。よって異極端子間が水により短絡されることは無い。また、端子設置台２２を上向きに持ち上げることにより、電源工事者は電源コード接続部２５を確認しながら電源コード１７を電源接続端子１２に挿入、接続することができ、作業性が良くなる。また、異極端子間を導通するように水が付着することがないので、安全性が高くなる。また、電源コード接続工事の際は、電装ボックスカバー８ｂの電源コード接続部２５のみを開いて接続することになる。従って、電源接続に必要な部分以外は触れない構造になっており、電源工事の際に誤って他の電装部品を傷つけることがない。電装ボックスカバー８ｂの前面は、薄肉部２４で繋がっているので水が浸入することはない。また一体部品なので部品を無くすこともない。また、電源コード接続部２５の近傍に結線図が表示されるので、電源コード接続工事をしながら結線を確認できる。シールではなく刻印するので浴室の高湿度空間で使用しても表示が剥がれたり、消えたりすることがない。刻印なので安価に表示することができる。また、充電部を保持または覆う部品が難燃性材料で構成されるので、充電部にて発煙、発火が発生した場合でも電装ボックス８の外に延焼しない。
【００４３】
このように本発明の実施の形態２の換気装置によれば、水が電装ボックス８内に浸入した場合でも安全性を確保でき、電気工事時は電源コード接続部２５を確認しながらまた、近傍に表示された結線図を確認しながら行えるので作業性が良く、誤って他の電装部分を傷つけることがなく、充電部に発煙、発火が発生した場合でも延焼しないこととなる。
【００４４】
（実施の形態３）
図１３に示すように、モータカバー１１とフレーム９の嵌合部を階段状に構成している。
【００４５】
また、フレーム９のモータシャフト２８出口に筒状の保護フランジ２６を設け、ファンのボス部２７を前記保護フランジ２６にオーバーラップさせて挿入する構造となっている。
【００４６】
上記構成により、モータカバー１１とフレーム９の嵌合部が階段状になっているため水の浸入、埃の侵入が困難になるので、モータ充電部に水が付着しない、また排気中に含まれる埃等も浸入しにくくなる。また、湿気を含んだ空気を排気する際、その空気がモータシャフト２８に接触しにくくなるので、モータシャフト２８が錆びにくくなる。また埃等も付着しにくくなる。
【００４７】
このように本発明の実施の形態３の換気装置によれば、モータ充電部への水、埃等の浸入が防止でき安全性を向上することができることとなる。また、モータシャフト２８も錆びにくくなることとなる。
【産業上の利用可能性】
【００４８】
以上のように本発明の換気装置は、室内と室外を連通するように、壁部に設けられる風洞パイプに装着させる形状で内部にファンとモータが設けられる筒状部と、前記筒状部の室内側開口の外周に半径方向に張り出した略方形状に形成されたフランジ部と、前記フランジ部の周辺の裏面側に立ち上がり部を形成し電装ボックスを収納するフレームと前記筒状部に設けたモータケースに嵌合するモータカバーとで構成した換気装置において、前記電装ボックスを電源接続端子と電源コード固定部を有する電装ボックスケースと電装ボックスカバーで構成し、両部品が嵌合する外壁部を階段状にオーバーラップさせた形状とし、前記電装ボックスカバーの端部を前記電装ボックスケースの底面まで設けたことにより、電装ボックスの外壁部で水の浸入を防止できるので、外気に面した内壁面に取り付けられるような電気機器に用いることが可能である。
【符号の説明】
【００４９】
１      壁部
２      風洞パイプ
３      ファン
４      モータ
５      筒状部
６      室内側開口
７ａ    フランジ部
７ｂ    立ち上がり部
８      電装ボックス
８ａ    電装ボックスケース
８ｂ    電装ボックスカバー
９      フレーム
１０    モータケース
１１    モータカバー
１２    電源接続端子
１３    電源コード固定部
１４    ガイドリブ
１５    電源コード出口
１６    電源コード引出口
１７    電源コード
１８    水抜き穴
１９    モータリード線引き込み口
２０    リブａ
２１    リブｂ
２２    端子設置台
２３    リブｃ
２４    薄肉部
２５    電源コード接続部
２６    保護フランジ
２７    ボス部
２８    モータシャフト
【図１】
0005556378.tif 000002
【図２】
0005556378.tif 000003
【図３】
0005556378.tif 000004
【図４】
0005556378.tif 000005
【図５】
0005556378.tif 000006
【図６】
0005556378.tif 000007
【図７】
0005556378.tif 000008
【図８】
0005556378.tif 000009
【図９】
0005556378.tif 000010
【図１０】
0005556378.tif 000011
【図１１】
0005556378.tif 000012
【図１２】
0005556378.tif 000013
【図１３】
0005556378.tif 000014
【図１４】
0005556378.tif 000015
【図１５】
0005556378.tif 000016